(57)【特許請求の範囲】
【請求項１】
追従処理段階（２，３）としての複数の処理段階において編成データにより記述される編物柄（１０）の作成方法であって、少なくとも開始処理段階（１）に続く追従処理段階（２，３）において、又は開始処理段階（１）から追従処理段階（２，３）へ移行の際、又は１つの追従処理段階（２，３）から他の追従処理段階（２，３）への移行の際、編物柄（１０）の編成データの変更が行われ、編成データの変更の際、編物柄（１０）において変更が行われた位置（１６）がマークされ、編物柄（１０）がシンボル表示で表示され、編物柄が変更された位置（１６）が光で際立たされ、各追従処理段階（２，３）に１つの状態“変更された”又は“変更されない”が割当てられ、１つの追従処理段階（２，３）における編成データの変更の際、この追従処理段階に状態“変更された”が割当てられ、追従処理段階（２，３）に割当てられる状態が表示装置に表示され、追従処理段階（２，３）で変更された編成データが開始処理段階（１）の編成データと別に記憶されるものにおいて、
変更が設計装置により自動的に行われたか使用者により行われたかが分類されて、変更が記憶されることを特徴とする方法。
【請求項２】
処理段階（１，２，３）に対応する編成データが記憶されることを特徴とする、請求項１に記載の方法。
【発明の詳細な説明】
【技術分野】
【０００１】  本発明は、複数の処理段階において編成データにより記述される編物柄の作成方法に関する。
【背景技術】
【０００２】  横編機用編物柄の作成は、システムが柄作成に対して自動的な援助を行う場合、基本的に複数段階にわたって行われる。最初の処理段階（開始処理段階）において、編物柄の外観が規定される。更に使用すべき編成技術が規定される。【０００３】  続く処理段階（追従処理段階）の１つにおいて、又は１つの処理段階への移行の際複数の処理段階において、編物柄の変更が行われる。これらの変更は、設計装置により自動的に行うか、使用者により行うことができる。【０００４】  各処理段階は、抽象的な編物柄記述から編機制御データへの接近である。自動装置を含む柄出しシステムでは、柄作成の際少なくとも２つの処理段階が必要とされる。柄作成の際、すべての入力をできるだけ最初の処理段階で行い、最後の処理段階後に編物柄を製造する編機制御プログラムを編機へ伝送する、という目的が常にあるけれども、使用者にとって、次の処理段階において変更を行う必要がしばしばある。その理由は多様である。しかし大抵の場青。編機制御データにおいて所望の結果を得るために、特定の状況に対して最初の処理段階における入力が可能でない、という問題がある。【０００５】  その際使用者に対して次の問題が生じる。即ち次の処理段階において編物柄が修正されると直ちに、先行する処理段階がロードされると、利用者の入力が失われる。次の処理段階において変更が行われなかった編物柄でも、先行する処理段階がロードされると直ちに、データが失われたか否かを、使用者が確信することはできない。従って使用者により別の個所における変更が文書化されねばならない。
【発明の概要】
【発明が解決しようとする課題】
【０００６】  本発明の課題は、前記の変更の態様を知ることができる方法を提供することである。
【課題を解決するための手段】
【０００７】  この課題を解決するため、複数の処理段階において編成データにより記述される編物柄の作成方法であって、少なくとも開始処理段階に続く追従処理段階において、又は開始処理段階から追従処理段階へ又は１つの追従処理段階から他の追従処理段階への移行の際、編物柄の編成データの変更が行われ、編成データの変更の際、編物柄において変更が行われた位置がマークされ、編物柄がシンボル表示で表示され、編物柄が変更された位置が光で際立たされ、各追従処理段階（２，３）に１つの状態が割当てられ、１つの追従処理段階における編成データの変更の際、この追従処理段階に状態“変更された”が割当てられ、追従処理段階に割当てられる状態が表示装置に表示され、行われた変更が別々に記憶されるものにおいて、本発明によれば、変更が設計装置により自動的に行われたか使用者により行われたかが分類されて、変更が記憶される。【０００８】各追従処理段階に１つの状態が割当てられると、特別な利点が生じる。例えば追従処理段階がロードされると、それが状態“変更されない”を示すことができる。しかし追従処理段階において編成データの変更が行われると、状態“変更された”をこの追従処理段階に割当てることができる。例えば追従処理段階が設計装置の表示装置に表示され、この段階において変更が行われると、全体の追従処理段階が変更されたものとしてマークされる。それにより使用者に対して、追従処理段階に先行した処理段階の再度のロードの際、変更が失われたことが明らかである。次の追従処理段階へ移行の際、この段階にまず常に状態“変更されない”が割当てられるようにすることができる。それにより特定の追従処理段階のロードの際変更が失われたか否かが、常に正確にわかる。これに関連して、追従処理段階に割当てられる状態が表示装置に表示されると、特に有利である。例えば編物柄が最初の追従処理段階において変更され、続いて次の追従処理段階へ移行されると、最初の追従処理段階が状態“変更された”で表示される。それにより最初の追従処理段階に先行する開始処理段階の再度のロードの際、変更が失われるけれども、最初の追従処理段階のロードの際には失われない。なぜならば、この最初の追従処理段階は変更されたデータと共に記憶されるからである。開始処理段階に対して、この段階に状態を割当てることは行われない。【０００９】行われた変更が別々に記憶されると、これらの変更を再び使用することができる。例えば最初の追従処理段階において行われた変更を記憶することができる。続いて開始処理段階をロードできるであろう。最初の追従処理段階への再度の移行後、前に記憶された変更を再びロードして使用することができる。【００１０】本発明によれば、変更が設計装置により自動的に行われたか使用者により行われたかが分類されて、変更が記憶されるようにすることができる。それにより変更が設計装置により１つの処理段階から次の追従処理段階への移行の際もたらされたのか否か、又は変更が使用者により行われたのか否かを知ることができる。【００１１】更に本発明により、処理段階（開始処理段階又は追従処理段階）に対応する編成データが記憶される。それにより処理段階の編成データも再びロード���、続いて変更することができる。変更が際立たされることにより、編物柄を第３者が問題なくロードし、それから処理して変更することができる。本発明による方法は、時間を大きく節約する。継続する処理段階における変更の時間がかかる文書化はなくなる。【００１２】編機で製造される編物柄を複数の処理段階で設計する設計装置は、編物柄の記述に必要な編成データを記憶する少なくとも１つの記憶装置、少なくとも１つの処理段階において編物柄のすくなくとも１つのシンボル表示を表示する少なくとも１つの表示装置、及び少なくとも１つのシンボル表示を変更するための少なくとも１つの入力装置を有し、開始処理段階に続く追従処理段階において編物柄が変更された位置をマークするために、マークが設けられている。マークを表示装置に表示し、追従処理段階の編成データと共に記憶することができる。それにより変更は理解可能なままであり、別個に文書化する必要がない。【００１３】  追従処理段階に１つの状態を割当てる状態割当て手段が設けられていると、特別な利点が生じる。例えば追従処理段階が最初にロードされると、この段階に状態“変更されない”が割当てられる。しかし編成データの変更が追従処理段階で行われると、この追従処理段階へ状態“変更された”が割当てられる。【００１４】  追従処理段階の状態が表示装置に表示可能であると、特別な利点が生じる。それにより使用者は、先行する処理段階のロードの際多分変更が失われるか否かを、簡単に知ることができる。【００１５】  更に追従処理段階における編物柄の変更のみが記憶可能であり、かつ処理段階としてロード可能であるようにすることができる。それにより変更されない処理段階をロードし、この処理段階に加えて、以前に別の処理段階により行われた変更をロードし、ちょうどロードされた処理段階へ引受けることができる。【００１６】  本発明のそれ以外の特徴及び利点は、本発明にとって重要な詳細を示す図面の図により、本発明の実施例の以下の説明及び請求項から明らかになる。そこに示される特徴は必ずしも寸法通りでないと理解すべきであり、本発明による特徴が明確に見えるように示されている。種々の特徴はそれぞれ単独で又は発明の変形例において任意の組み合わせで実現可能である。【００１７】  概略的な図面に本発明の実施例が示されており、以下に詳細に説明される。
【図面の簡単な説明】
【００１８】
【図１】  １つの処理段階における編物柄の糸コース表示の一部を示す。
【図２】  個々の処理段階への状態の割当てを説明するための概略表示を示す。
【図３】  異なる処理段階における作業を説明するための別の表示を示す。
【発明を実施するための形態】
【００１９】  図１には、表示装置に表示される編物柄の糸コース表示の一部が示されている。編物柄１０の示された糸コース表示において、４つの列１１〜１４が示されている。列１１，１３及び１４において、個々の針のための編成操作が示されている。編成列１２には目移し操作が示され、それが矢印１５により暗示されている。位置１６において、使用者により目移しが記入された。従って位置１６が枠１７によりマークされた。こうして使用者は、後の時点においても、どんな位置でどんな変更が行われたかを確認することができる。この変更は、編物柄１０の全体の編成データにより記憶することができる。しかしこの変更のみを、付属する位置データにより別個に記憶することも可能である。それからこの情報は、後の時点に、処理段階における編物柄としてロードすることができるので、この処理段階におけるこの編物柄のために、同じ変更が行われる。
【００２０】  図２には、符号１で開始処理段階が示され、符号２で追従処理段階が示されている。図２に示される表示も同様に、設計装置の表示装置に表示することができる。矢印１８は、追従処理段階２が開始処理段階１からの移行から生じていることを示す。矢印１９は、追従処理段階２が変更を行うことができるちょうど能動的な処理段階であることを示す。追従処理段階２はハッチングを施され、それにより追従処理段階２が状態“変更された”を持っていることが表現される。従って追従処理段階２が能動的である場合、この段階において変更が行われると、この例では追従処理段階全体がハッチングを施されることによって、この追従処理段階全体が変更されたものとしてマークされる。それにより、開始処理段階１の再度のロードの際、変更が失われることがわかる。従って例えば図１に示されているように変更が行われると、対応する追従処理段階は別の状態即ち状態“変更された”をとる。
【００２１】  前述したことからわかるように、追従処理段階２の変更が行われた後に初めて、この追従処理段階の状態の変更が行われる。開始処理段階１から追従処理段階２へ移行する際、追従処理段階２に、まず常に状態“変更されない”が割当てられ、これは、ハッチングが施されないことによってわかる。従って特定の処理段階のロードの際変更が失われるか否かが、常に正確にわかる。
【００２２】  図３に示す実施例では、追従処理段階２が変更され、続いて追従処理段階３へ移行された。矢印１９は、これが能動的な処理段階であることを示すために、追従処理段階３を指し示している。追従処理段階２はハッチングを施されておりそれにより、この処理段階に状態“変更された”が割当てられていることが明らかになる。
【００２３】  それにより、開始処理段階１の再度のロードの際変更が失われるけれども、処理段階２のロードの際には失われないことがわかる。なぜならば、追従処理段階２の変更はこれにより記憶されたからである。
【００２４】  編物柄において行われた変更は、別個に記憶して再び使用することができる。従って追従処理段階２の変更を記憶することができる。続いて開始処理段階１をロードできるであろう。（この場合状態“変更されない”で表示される）追従処理段階２への再度の移行後、前に記憶された変更を再び追従処理段階２としてロードして、この追従処理段階に適用することができる。この場合追従処理段階２の状態は再び状態“変更された”に変わる。
【図１】
0005607019.tif 000002
【図２】
0005607019.tif 000003
【図３】
0005607019.tif 000004